Podtech/llm-jp-corpus-v4-ja_patent huggingface dataset:
【誤訳訂正書】
【提出日】平成27年6月17日(2015.6.17)
【誤訳訂正１】
【訂正対象書類名】明細書
【訂正対象項目名】００１２
【訂正方法】変更
【訂正の内容】
【００１２】
複数の隆起および溝は、保持部材の外面を完全にまたは部分的に取り囲んでいてもよい。
【誤訳訂正２】
【訂正対象書類名】明細書
【訂正対象項目名】００１５
【訂正方法】変更
【訂正の内容】
【００１５】
いくつかの態様において、保持要素は管状であり、かつ1つまたは複数の凹所は、保持部材の外面を少なくとも部分的に取り囲む。いくつかの態様において、保持要素は管状であり、かつ、そこを通して流動可能な材料の通過を可能にするように構成される内腔を含む。保持要素は、管状保持要素の内腔からの流動可能な材料の放出を可能にするように構成される孔をさらに含んでもよい。流動可能な材料は、骨セメントまたは骨移植片を含んでもよい。
【誤訳訂正３】
【訂正対象書類名】明細書
【訂正対象項目名】００７９
【訂正方法】変更
【訂正の内容】
【００７９】
いくつかの態様において、保持部材は、該保持部材の周縁の少なくとも一部にわたる複数の隆起および溝を含んでもよい。例えば、隆起は、保持部材の外面から離れて外側に延びる保持部材の一部であってもよい。隆起および溝は、保持要素の外面の一部の全周縁にわたってもよく、例えば、取り囲んでいてもよく、または、保持部材の1つまたは複数の部分にわたってもよい。
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
ウマに用いるのに適する抗体を調製する方法であって、
−ウマに存在する標的抗原に対する結合特異性を有する、ウマ以外の種のドナー抗体を提供するステップと、
−ドナー抗体のフレームワーク領域のアミノ酸配列の各アミノ酸残基を１つまたは複数のウマ抗体のフレームワーク領域のアミノ酸配列における対応する位置に存在する各アミノ酸残基と比較して、１つまたは複数のウマ抗体のフレームワーク領域のアミノ酸配列内の対応する位置における１つまたは複数のアミノ酸残基と異なるドナー抗体のフレームワーク領域のアミノ酸配列内の１つまたは複数のアミノ酸残基を特定するステップと
−ドナー抗体における１つまたは複数の特定されたアミノ酸残基を１つまたは複数のウマ抗体における対応する位置に存在する１つまたは複数のアミノ酸残基で置換して、修飾された抗体を製造するステップと
を含み、
修飾された抗体が、ウマにおける当該位置において異質であるようなフレームワーク領域内のあらゆる位置におけるアミノ酸を含まず、
修飾された抗体が、ウマ神経成長因子（ＮＧＦ）に特異的に結合することができ、ｐ７５またはＴｒｋＡウマＮＧＦ受容体に結合するウマＮＧＦの能力を阻害する、
方法。
【請求項２】
ウマ神経成長因子（ＮＧＦ）に特異的に結合することができ、ｐ７５またはＴｒｋＡウマＮＧＦ受容体に結合するウマＮＧＦの能力を阻害する中和抗体またはその抗原結合性断片であって、配列番号１のアミノ酸配列もしくはそれとの少なくとも８５％の同一性を有するアミノ酸配列を含む軽鎖可変領域および配列番号２のアミノ酸配列もしくはそれとの少なくとも８５％の同一性を有するアミノ酸配列を含む重鎖可変領域を含み、
抗体またはその抗原結合性断片が、ウマにおける当該位置において異質であるようなフレームワーク領域内のあらゆる位置におけるアミノ酸を含まない、
抗体またはその抗原結合性断片。
【請求項３】
軽鎖が配列番号４のアミノ酸配列またはそれとの少なくとも８５％の同一性を有するアミノ酸配列を含み、重鎖が配列番号５、配列番号６、配列番号７、配列番号８および配列番号９からなる群から選択されるアミノ酸配列、またはそれとの少なくとも８５％の配列同一性を有するアミノ酸配列を含む、請求項２に記載の抗体またはその抗原結合性断片。
【請求項４】
軽鎖可変領域が配列番号１のアミノ酸配列を含み、重鎖可変領域が配列番号２のアミノ酸配列を含む、請求項２に記載の抗体またはその抗原結合性断片。
【請求項５】
軽鎖可変領域が配列番号１のアミノ酸配列またはそれとの少なくとも８５％の配列同一性を有するアミノ酸配列を含み、さらに、アミノ酸置換Ｓ８５Ｖを含む、請求項２に記載の抗体またはその抗原結合性断片。
【請求項６】
ウマ神経成長因子（ＮＧＦ）に特異的に結合することができ、ｐ７５またはＴｒｋＡウマＮＧＦ受容体に結合するウマＮＧＦの能力を阻害する抗体またはその抗原結合性断片であって、
配列番号１０のアミノ酸配列またはそれとの少なくとも８５％の配列同一性を有するアミノ酸配列からなるまたはそれを含むＦＲ１フレームワーク領域、
配列番号１１のアミノ酸配列またはそれとの少なくとも８５％の配列同一性を有するアミノ酸配列からなるまたはそれを含むＦＲ２フレームワーク領域、
配列番号１２のアミノ酸配列またはそれとの少なくとも８５％の配列同一性を有するアミノ酸配列からなるまたはそれを含むＦＲ３フレームワーク領域、および
配列番号１３のアミノ酸配列またはそれとの少なくとも８５％の配列同一性を有するアミノ酸配列からなるまたはそれを含むＦＲ４フレームワーク領域
を含む軽鎖可変領域
ならびに
配列番号１４のアミノ酸配列またはそれとの少なくとも８５％の配列同一性を有するアミノ酸配列からなるまたはそれを含むＦＲ１フレームワーク領域、
配列番号１５のアミノ酸配列またはそれとの少なくとも８５％の配列同一性を有するアミノ酸配列からなるまたはそれを含むＦＲ２フレームワーク領域、
配列番号１６のアミノ酸配列またはそれとの少なくとも８５％の配列同一性を有するアミノ酸配列からなるまたはそれを含むＦＲ３フレームワーク領域、および
配列番号１７のアミノ酸配列またはそれとの少なくとも８５％の配列同一性を有するアミノ酸配列からなるまたはそれを含むＦＲ４フレームワーク領域
を含む重鎖可変領域
を含む、抗体またはその抗原結合性断片。
【請求項７】
軽鎖可変領域が、
配列番号１０のアミノ酸配列からなるまたはそれを含むＦＲ１フレームワーク領域、
配列番号１１のアミノ酸配列からなるまたはそれを含むＦＲ２フレームワーク領域、
配列番号１２のアミノ酸配列からなるまたはそれを含み、さらにアミノ酸置換Ｓ２９Ｖを含むＦＲ３フレームワーク領域、および
配列番号１３のアミノ酸配列からなるまたはそれを含むＦＲ４フレームワーク領域
を含み、
重鎖可変領域が、
配列番号１４のアミノ酸配列からなるまたはそれを含むＦＲ１フレームワーク領域、
配列番号１５のアミノ酸配列からなるまたはそれを含むＦＲ２フレームワーク領域、
配列番号１６のアミノ酸配列からなるまたはそれを含むＦＲ３フレームワーク領域、および
配列番号１７のアミノ酸配列からなるまたはそれを含むＦＲ４フレームワーク領域
を含む、請求項６に記載の抗体またはその抗原結合性断片。
【請求項８】
重鎖定常ドメインが下流エフェクター機能を媒介しないように、選択され、またはアミノ酸置換もしくは欠失により修飾されている重鎖定常ドメインを含む、請求項２または請求項６に記載の抗体またはその抗原結合性断片。
【請求項９】
重鎖がウマアイソタイプＨＣ２またはＨＣ６のものである、請求項８に記載の抗体またはその抗原結合性断片。
【請求項１０】
請求項２または請求項６に記載の抗体またはその抗原結合性断片を含む、医薬組成物。
【請求項１１】
ウマにおける疼痛の治療用、または、疼痛に関連する状態の治療用、または、ウマにおけるＮＧＦにより増殖するように誘導される腫瘍およびそれに関連する状態の治療用の医薬の調製における、請求項２または請求項６に記載の抗体またはその抗原結合性断片の使用。
【請求項１２】
請求項２または請求項６に記載の抗体または抗原結合性断片およびそれの使用説明書を含む、ウマにおける疼痛の治療用、または疼痛に関連する状態の治療用、または、ウマにおけるＮＧＦにより増殖するように誘導される腫瘍およびそれに関連する状態の治療用のキット。
【請求項１３】
ウマにおける疼痛の治療、または、疼痛に関連する状態の治療、または、ウマにおけるＮＧＦにより増殖するように誘導される腫瘍およびそれに関連する状態の治療で使用するための請求項２または請求項６に記載の抗体またはその抗原結合性断片を含む医薬組成物。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
以下からなる群から選択される、単離されたペプチド：
（ａ）ＳＥＱ  ＩＤ  ＮＯ：２７、５、７および３４からなる群から選択されるアミノ酸配列を含むペプチド、
（ｂ）（ｉ）（ａ）記載のペプチドのアミノ酸配列において、１個、２個または数個のアミノ酸が置換、欠失、挿入および／もしくは付加されているアミノ酸配列を含み、
（ｉｉ）元のペプチドのＣＴＬ誘導能を保持するペプチド。
【請求項２】
以下の特徴の一方または両方を有する、請求項１記載の単離されたペプチド：
（ａ）Ｎ末端から２番目のアミノ酸が、ロイシン及びメチオニンからなる群より選択される；ならびに
（ｂ）Ｃ末端のアミノ酸が、バリン及びロイシンからなる群より選択される。
【請求項３】
ノナペプチドまたはデカペプチドである、請求項１または２記載のペプチド。
【請求項４】
ＳＥＱ  ＩＤ  ＮＯ：２７、５、７および３４からなる群から選択されるアミノ酸配列からなる、単離されたペプチド。
【請求項５】
請求項１〜４のいずれか一項記載のペプチドをコードする単離されたポリヌクレオチド。
【請求項６】
請求項１〜４のいずれか一項記載の１種もしくは複数種のペプチド、または請求項５記載の１種もしくは複数種のポリヌクレオチドを含む、ＣＴＬを誘導するための組成物。
【請求項７】
（ａ）請求項１〜４のいずれか一項記載の１種もしくは複数種のペプチド；
（ｂ）請求項５記載の１種もしくは複数種のポリヌクレオチド；
（ｃ）請求項１〜４のいずれか一項記載のペプチドを自身の表面上に提示する１種または複数種のエキソソームまたはＡＰＣ；
（ｄ）請求項１〜４のいずれか一項記載のペプチドを自身の表面上に提示する細胞を認識する１種または複数種のＣＴＬ；および
（ｅ）それらの組み合わせ
からなる群より選択される少なくとも１種の有効成分を含み、
（ｉ）がんの治療、
（ｉｉ）がんの予防、
（ｉｉｉ）術後のその再発の予防、および
（ｉｖ）それらの組み合わせ
からなる群より選択される目的のために製剤化される、薬学的組成物。
【請求項８】
ＨＬＡ抗原がＨＬＡ−Ａ２である対象への投与のために製剤化される、請求項７記載の薬学的組成物。
【請求項９】
がんの治療のために製剤化される、請求項７または８記載の薬学的組成物。
【請求項１０】
以下からなる群より選択される段階を含む、ＣＴＬ誘導能を有する抗原提示細胞（ＡＰＣ）をインビトロで誘導するための方法：
（ａ）ＡＰＣを、請求項１〜４のいずれか一項記載のペプチドとインビトロで接触させる段階、および
（ｂ）請求項１〜４のいずれか一項記載のペプチドをコードするポリヌクレオチドをＡＰＣに導入する段階。
【請求項１１】
以下からなる群より選択される段階を含む、ＣＴＬをインビトロで誘導するための方法：
（ａ）ＣＤ８陽性Ｔ細胞を、ＨＬＡ抗原と請求項１〜４のいずれか一項記載のペプチドとの複合体を自身の表面上に提示するＡＰＣと共培養する段階；
（ｂ）ＣＤ８陽性Ｔ細胞を、ＨＬＡ抗原と請求項１〜４のいずれか一項記載のペプチドとの複合体を自身の表面上に提示するエキソソームと共培養する段階；および
（ｃ）細胞表面上に提示されたＨＬＡ抗原と請求項１〜４のいずれか一項記載のペプチドとの複合体に結合することができるＴ細胞受容体（ＴＣＲ）の、ＴＣＲサブユニットの両方をコードする１種のポリヌクレオチドまたはＴＣＲサブユニットの各々をコードする複数種のポリヌクレオチドを、ＣＤ８陽性Ｔ細胞に導入する段階。
【請求項１２】
ＨＬＡ抗原と請求項１〜４のいずれか一項記載のペプチドとの複合体を自身の表面上に提示する、単離されたＡＰＣ。
【請求項１３】
請求項１０記載の方法によって誘導される、請求項１２記載のＡＰＣ。
【請求項１４】
請求項１〜４のいずれか一項記載のペプチドを標的とする、単離されたＣＴＬ。
【請求項１５】
請求項１１記載の方法によって誘導される、請求項１４記載のＣＴＬ。
【請求項１６】
請求項１〜４のいずれか一項記載のペプチド、その免疫学的活性断片、または該ペプチドもしくは該断片をコードするポリヌクレオチドを含む、対象において免疫応答を誘導するための組成物。
【請求項１７】
請求項１〜４のいずれか一項記載のペプチドに対する抗体またはその免疫学的活性断片。
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
血液悪性腫瘍であると判っているか又は疑われる被験者から得た細胞の試料中のＧａｄｄ４５β発現レベルを測定するステップを有する
Ｇａｄｄ４５β発現を測定する方法。
【請求項２】
前記被験者が多発性骨髄腫であると疑われる者である、請求項１に記載の方法。
【請求項３】
前記被験者がびまん性大細胞型B細胞リンパ腫であると疑われる者である、請求項１に記載の方法。
【請求項４】
前記細胞の試料が、物質番号ＣＤ１３８陽性細胞であるか又は誘導されたものである、請求項１又は２の方法。
【請求項５】
前記細胞の試料が、被験者から得た後にＣＤ１３８陽性細胞を増加させられたものである、請求項４に記載の方法。
【請求項６】
前記細胞が健常者の細胞に比べて高いＧａｄｄ４５β発現レベルを示した場合に、前記被験者を特定の血液悪性腫瘍と診断するステップをさらに含む請求項１〜５のいずれかに記載の方法。
【請求項７】
前記被験者が特定の血液悪性腫瘍であると判っており、測定された前記Ｇａｄｄ４５β発現レベルが、少なくとも一人の対照被験者の群から得た細胞において予め測定された対応するＧａｄｄ４５β発現レベルを有するデータセットと比較される、請求項１、２、４又は５に記載の方法。
【請求項８】
前記対照被験者が健常者である、請求項７に記載の方法。
【請求項９】
前記対照被験者が特定の血液悪性腫瘍であると判っている被験者である、請求項７に記載の方法。
【請求項１０】
前記被験者から得た細胞において測定されたＧａｄｄ４５β発現レベルを、相対的に高い又は相対的に低いとして分類するステップを含む、請求項８又は９に記載の方法。
【請求項１１】
ｉ）前記被験者が特定の血液悪性腫瘍であると判っており、
ｉｉ）測定された前記Ｇａｄｄ４５β発現レベルが、適切な特定の血液悪性腫瘍及び適切な細胞型におけるＧａｄｄ４５β発現の基準値と比較することにより、相対的に高い又は相対的に低いとして分類される、請求項１、２、４又は５に記載の方法。
【請求項１２】
前記被験者から得た細胞において測定された前記Ｇａｄｄ４５β発現レベルにおける相対的に高い又は相対的に低いとの分類が、前記被験者の予後を予測するために用いられる、請求項１０又は１１に記載の方法。
【請求項１３】
相対的に高いＧａｄｄ４５β発現レベルは相対的に不良の予後を予測し、かつ、相対的に低いＧａｄｄ４５β発現レベルは相対的に良好な予後を予測するために用いられる、請求項１２に記載の方法。
【請求項１４】
前記被験者から得た細胞において測定された前記Ｇａｄｄ４５β発現レベルにおける相対的に高い又は相対的に低いとの分類が、前記被験者の適切な治療を選択するために用いられる、請求項１０又は１１に記載の方法。
【請求項１５】
相対的に高いＧａｄｄ４５β発現レベルがＧａｄｄ４５βの阻害剤、Ｇａｄｄ４５βシグナル伝達の阻害剤又はＮＦ−κＢシグナル伝達の阻害剤を（必要に応じて別の治療と組み合わせて）用いた特定の前記血液悪性腫瘍の治療を示すとともに、必要に応じて、相対的に低いＧａｄｄ４５β発現レベルが前記血液悪性腫瘍の別の治療を示す、請求項１４に記載の方法。
【請求項１６】
示された前記治療を行うステップをさらに有する、請求項１５に記載の方法。
【請求項１７】
特定の前記血液悪性腫瘍が多発性骨髄腫であり、かつ、前記細胞の試料が物質番号ＣＤ１３８陽性細胞又はＣＤ１３８陽性細胞から誘導された物質を含む、請求項１〜１０のいずれかに記載の方法。
【請求項１８】
前記細胞の試料が、血液試料から得られるか、又は、骨髄吸引、リンパ節、腎臓、脾臓若しくは骨から得られる、請求項１７に記載の方法。
【請求項１９】
特定の血液悪性腫瘍と疑われるか又は判っている多数の被験者の群から得た細胞において測定されたＧａｄｄ４５β発現レベルのデータセット。
【請求項２０】
前記細胞がＣＤ１３８陽性細胞であり、かつ、特定の前記血液悪性腫瘍が多発性骨髄腫である、請求項１９に記載のデータセット。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
治療中の変化をモニタするシステムにおいて、
光ファイバセンサを中に配置され、目標領域内に又は近くに経皮的に挿入され、１つ又は複数の治療装置に対する局所的基準を提供する第１のプローブセグメントと、
光ファイバセンサを中に配置され、一般に前記第１のプローブから離れて配置され、前記第１のセグメントに対する空間的基準点を提供する第２のプローブセグメントであって、前記第１及び第２のセグメントが、前記第１のプローブと前記第２のプローブとの間の基準として機能するように少なくとも１つの共通位置を持つ、前記第２のプローブセグメントと、
フィードバック信号に基づいて前記第１及び第２のセグメントの各々の形状を決定し、前記形状を異なる時点からの情報と比較することにより処置中に前記形状の変化を測定し、前記変化によって治療計画を更新する形状決定モジュールと、
を有するシステム。
【請求項２】
前記形状決定モジュールが、光信号を受け取り、前記第１のセグメントの経路軌道を決定し、前記１つ又は複数の治療装置の配置が、前記経路軌道に基づいて決定される、請求項１に記載のシステム。
【請求項３】
前記１つ又は複数の治療装置が、放射線源を持つ医療器具を含む、請求項２に記載のシステム。
【請求項４】
前記１つ又は複数の治療装置が、放射線シードを含み、前記経路軌道が、シード位置を決定するのに使用される、請求項２に記載のシステム。
【請求項５】
前記１つ又は複数の治療装置の計画された配置を、前記経路軌道に基づく前記１つ又は複数の治療装置の実際の配置と比較し、全体的な計画目標を達成することに基づいて前記１つ又は複数の治療装置の配置に対する後の位置を出力する治療計画モジュールを有する、請求項１に記載のシステム。
【請求項６】
前記第１のセグメント及び前記第２のセグメントの少なくとも一方の位置を確認するように前記第１のセグメント及び前記第２のセグメントの前記少なくとも一方の経路を独立に追跡する追加の追跡装置を有する、請求項１に記載のシステム。
【請求項７】
治療中の変化をモニタするワークステーションにおいて、前記ワークステーションが、
プロセッサ及びメモリを含むコンピュータと、
前記メモリに記憶され、フィードバック信号に基づいて複数の可撓性プローブの形状を決定する形状決定モジュールであって、前記可撓性プローブが、各々、中に配置された光ファイバセンサを持ち、前記可撓性プローブが、１つ又は複数の治療装置の配置に対する基準位置を提供するように前記形状を異なる時点からの情報と比較することにより処置中の前記形状の変化を測定する、前記形状決定モジュールと、
前記メモリに記憶され、前記１つ又は複数の治療装置に対する前記基準位置に基づいて治療計画を比較及び更新する治療計画モジュールと、
を有し、
前記複数のプローブが、前記プローブ間の基準として機能する少なくとも１つの共通位置を持ち、
目標領域内に又は近くに経皮的に挿入される第１のプローブ、及び
一般に前記第１のプローブから離れて配置され、前記第１のプローブに対する空間的基準点を提供する第２のプローブ、
を含む、
ワークステーション。
【請求項８】
前記形状決定モジュールが、光信号を受け取り、前記第１のプローブの経路軌道を決定し、前記１つ又は複数の治療装置の配置が、前記経路軌道に基づいて決定される、請求項７に記載のワークステーション。
【請求項９】
前記１つ又は複数の治療装置が、放射線シードを含み、前記経路軌道が、シード位置を決定するのに使用される、請求項７に記載のワークステーション。
【請求項１０】
前記治療計画モジュールが、前記１つ又は複数の治療装置の計画された配置を、前記経路軌道に基づく前記１つ又は複数の治療装置の実際の配置と比較し、全体的な計画目標を達成することに基づく前記１つ又は複数の治療装置の配置に対する後の位置を出力する、請求項７に記載のワークステーション。
【請求項１１】
前記第１のプローブ及び前記第２のプローブの少なくとも一方の位置を確認するように前記第１のプローブ及び前記第２のプローブの前記少なくとも一方の経路を独立に追跡する追加の追跡装置を有する、請求項７に記載のワークステーション。
【請求項１２】
前記少なくとも１つの共通位置が、前記少なくとも１つの共通位置の位置を追跡する追跡装置を含む、請求項７に記載のワークステーション。
【請求項１３】
治療中の変化をモニタする方法において、
少なくとも１つの光ファイバセンサを含む少なくとも１つの可撓性プローブを、焦点エネルギ付与に対して目標とされる組織の領域内の又は近い場所まで体内に経皮的に導入することにより前記焦点エネルギ付与に対する線源の位置及び経路軌道を決定するステップと、
異なる時点からの治療計画とリアルタイムの前記位置及び経路軌道を比較するステップであって、前記計画からのずれを定量化する、前記比較するステップと、
前記処置内の後の活動において前記ずれを考慮して治療ゴールを達成するように治療の適合を提供するステップと、
を有する方法。
【請求項１４】
前記少なくとも１つの可撓性プローブからのフィードバック信号を収集するステップと、前記少なくとも１つの可撓性プローブの変化を検出するように前記フィードバック信号を形状決定モジュールに入力するステップであって、前記治療計画によって、治療に対して目標とされる前記組織の領域及び治療の強度が、前記形状決定モジュールの出力に基づいて変更される、前記入力するステップを有する、請求項１３に記載の方法。
【請求項１５】
少なくとも１つの光ファイバセンサを含み、前記第１のプローブに対する基準位置を提供する第２のプローブを導入するステップを有する、請求項１３に記載の方法。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
流体（２）のためのネブライザ（１）であって、
前記流体（２）を収容した交換可能な容器（３）と、
前記容器（３）を交換するために取り外すことができ又は開放することができるハウジング部品（１８）とを有する、ネブライザにおいて、
前記ネブライザ（１）は、前記容器（３）と関連していて、使用済み容器（３）をもう一度前記ネブライザ（１）に連結することができ又は前記ネブライザ（１）と一緒に使用することができるのを阻止する安全確保装置（３２）を有し、
前記安全確保装置（３２）は、少なくとも前記使用済み容器（３）を前記ネブライザ（１）から取り外した後に前記使用済み容器（３）をもう一度前記ネブライザ（１）に連結することができず又は前記ネブライザ（１）と共に使用することができないよう互いに離れ又は半径方向又は外方に動くことができるロック部分（３３ｂ）を有する、ネブライザ。
【請求項２】
前記ロック部分（３３ｂ）は、アーム状である、請求項１に記載のネブライザ。
【請求項３】
前記ロック部分（３３ｂ）は、半径方向に或いは押し離し位置に少なくとも部分的に付勢される、請求項１又は２に記載のネブライザ。
【請求項４】
前記ロック部分（３３ｂ）は、安全確保部品（４０）によって共に保持され、又は互いに動いて離れ若しくは半径方向外方に動くことができないよう保持される、請求項１〜３のうちいずれか一に記載のネブライザ。
【請求項５】
前記安全確保部品（４０）は、リング状である、請求項４記載のネブライザ。
【請求項６】
前記安全確保部品（４０）は、最初に前記関連の容器（３）を用いたとき、前記ロック部分（３３ｂ）を自由にする位置に動かされる、請求項４又は５記載のネブライザ。
【請求項７】
前記安全確保装置（３２）は、打抜き加工部品又は一体形部品によって形成されている、請求項１〜６のうちいずれか一に記載のネブライザ。
【請求項８】
前記安全確保装置（３２）又は前記ロック部分（３３ｂ）は、金属で作られている、請求項１〜７のうちいずれか一に記載のネブライザ。
【請求項９】
前記安全確保装置（３２）は、前記関連のハウジング部品（１８）からの前記容器（３）の離脱を阻止すると共に前記ハウジング部品（１８）を先に連結したときに前記ネブライザ（１）への前記それぞれのハウジング部品（１８）の再連結を阻止する、請求項１〜８のうちいずれか一に記載のネブライザ。
【請求項１０】
前記安全確保装置（３２）は、前記容器（３）を前記ハウジング部品（１８）内に分離できないよう保持し、前記容器（３）は、前記流体（２）の運搬中、圧力発生中及び噴霧化中、前記ネブライザ（１）内において或いは前記ハウジング部品（１８）に対して前後に動くことができる、請求項１〜９のうちいずれか一に記載のネブライザ。
【請求項１１】
前記安全確保装置（３２）は、前記容器（３）を出荷状態では前記ネブライザ（１）又は前記ハウジング部品（１８）内で動くことができないよう保持する輸送ロック（２９）を形成し、前記輸送ロック（２９）は、前記ネブライザ（１）への前記容器（３）又は前記ハウジング部品（１８）の連結中又は連結後に開放される、請求項１〜１０のうちいずれか一に記載のネブライザ。
【請求項１２】
前記ネブライザ（１）は、前記ハウジング部品（１８）のところに設けられ又は前記ハウジング部品（１８）内に設けられたカウンター装置（２３）を有する、請求項１〜１１のうちいずれか一に記載のネブライザ。
【請求項１３】
前記ハウジング部品（１８）は、コーディングを備え、その結果、前記ハウジング部品（１８）を前記ネブライザ（１）に取り付けることができ若しくは前記ネブライザ（１）の内側部品（１７）上でシフトさせることができ又は前記コーディングが前記ネブライザ（１）又は前記内側部品（１７）のところに配置された相補コーディングに合致した場合にのみ閉鎖できるようになっている、請求項１〜１２のうちいずれか一に記載のネブライザ。
【請求項１４】
前記ネブライザ（１）は、機械的にのみ働く、請求項１〜１３のうちいずれか一に記載のネブライザ。
【請求項１５】
前記ネブライザ（１）は、医学的エーロゾル治療のための吸入器として構成されている、請求項１〜１４のうちいずれか一に記載のネブライザ。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
対象の心臓内の心房と心室との間の環状領域に取り付けられ、対象の心臓の心室内の複数の乳頭筋に結合された、対象の心臓内の不良な房室（ＡＶ）弁を交換するためのＡＶ弁を再生するための細胞外マトリックス（ＥＣＭ）材料の導管であって、該ＥＣＭ材料の導管は内腔を画定し、入口部分と出口部分を有し、前記ＥＣＭ材料の導管の前記入口部分は前記対象の心臓の前記環状領域に付着され、前記ＥＣＭ材料の導管の少なくとも一部分が多積層構造を有し、前記ＥＣＭ材料の導管の前記出口部分は複数の延長部分を含み、該複数の延長部分の各延長部分は、前記乳頭筋の少なくとも二つの乳頭筋のそれぞれに付着されることを特徴とするＥＣＭ材料の導管。
【請求項２】
前記ＥＣＭ材料の導管が無菌で、無細胞である、請求項１に記載のＥＣＭ材料の導管。
【請求項３】
前記ＥＣＭ材料の導管の前記入口部及び出口部分がそれぞれ外周辺を有し、前記出口部分の前記外周辺が前記入口部分の外周囲に実質的に等しい、請求項１に記載のＥＣＭ材料の導管。
【請求項４】
前記ＥＣＭ材料の導管の前記入口部及び出口部分がそれぞれ外周辺を有し、前記出口部分の前記外周辺が前記入口部分の外周囲より大きい、請求項１に記載のＥＣＭ材料の導管。
【請求項５】
前記ＥＣＭ材料の導管の前記入口部及び出口部分がそれぞれ外周辺を有し、前記出口部分の前記外周辺が前記入口部分の外周囲より小さい、請求項１に記載のＥＣＭ材料の導管。
【請求項６】
前記複数の延長部分が第一の延長部分及び第二の延長部を含み、前記第一の延長部分及び前記第二の延長部分は、それぞれ延長点で前記ＥＣＭM材料の導管に固定され、前記ＥＣＭ材料の導管によって画定された前記内腔が、前記ＥＣＭ材料の導管の前記出口部分に近接した中心点を有し、前記内腔の前記中心点は、前記第一及び第二の延長部分の前記延長点の間に形成される角度の頂点に対応する、請求項１に記載のＥＣＭ材料導管。
【請求項７】
前記第二の延長部分の前記第一の延長点と前記第二の延長点の間に形成される角度が、約１２０°から約１５０°の範囲の大きさを有する、請求項６に記載ＥＣＭ材料の導管。
【請求項８】
前記ＥＣＭ材料の導管の少なくともの一部分が多層構造を有する、請求項１に記載のＥＣＭ材料の導管。
【請求項９】
前記多層構造が、多積層構造を含む、請求項８に記載のＥＣＭ材料導管。
【請求項１０】
前記ＥＣＭ材料の導管が少なくとも一つの組織を含み、該少なくとも一つの各組織は各組織源に由来し、前記少なくとも一つの組織の各組織の前記組織源は、小腸粘膜下層、胃粘膜下層、大腸組織、膀胱粘膜下層、肝臓基底膜、心膜、心外膜、心内膜、心筋、肺組織、腎臓組織、膵臓組織、前立腺組織、中皮組織、胎児組織、胎盤、尿管、静脈、動脈、心臓の弁（付着した血管をもつ場合又はもたない場合）、発育中の歯の根の周囲の組織、及び成長骨の周囲の組織からなる群から選択される、請求項１に記載のＥＣＭ材料の導管
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
鉗子型部材（２０）と、互いに接近及び離反可能に、前記鉗子型部材（２０）によって担持されている第１及び第２電極（１２，１４）と、を備え、
第１及び第２電極（１２，１４）から独立して可動する第３電極（１６）をさらに備えることを特徴とする、エレクトロポレーション装置（１０）。
【請求項２】
前記第１及び第２電極（１２，１４）は同じ極性に両方接続されるように設計される一方、前記第３電極（１６）はその他の極性に接続されるように設計されている、請求項１に記載のエレクトロポレーション装置。
【請求項３】
第１及び第２電極（１２，１４）は異なる極性に接続されるように設計されている、請求項１又は２に記載のエレクトロポレーション装置。
【請求項４】
さらに、鉗子型部材（２０）から分離し、第３電極（１６）を担持しているグリップ部材（３４）を備える、請求項１から３のいずれかに記載のエレクトロポレーション装置。
【請求項５】
電場を生成する、請求項１から４のいずれかに記載のエレクトロポレーション装置（１０）を使用して、人間を除く動物の細胞にエレクトロポレーションを行う方法。
【請求項６】
エレクトロポレーション装置（１０）によって発生する電場の空間構造は、第１及び第２電極（１２，１４）に対する第３電極（１６）の相対位置を変化させることによって変更される、請求項５に記載の方法。
【請求項７】
エレクトロポレーション装置（１０）によって生成される電場の空間構造は、第１、第２、及び第３電極（１２，１４，１６）の極性を変化させることによって変更される、請求項５又は６に記載の方法。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
創傷処置システムにおいて、
創傷包帯と、
前記創傷包帯と流体連通している、液体を含む液体貯蔵装置と、
前記液体にエネルギーを案内して、前記液体の治療特性を有効にするように構成されているエネルギー源と、
を備えることを特徴とする創傷処置システム。
【請求項２】
請求項１に記載の創傷処置システムにおいて、前記創傷包帯に接続された陰圧源を更に備えることを特徴とする、創傷処置システム。
【請求項３】
請求項１に記載の創傷処置システムにおいて、前記液体が、前記エネルギー源に曝露される前は、コーティングを備えた分子を含むことを特徴とする、創傷処置システム。
【請求項４】
請求項３に記載の創傷処置システムにおいて、前記エネルギー源が、前記保護コーティングを分解するように構成されていることを特徴とする、創傷処置システム。
【請求項５】
請求項３に記載の創傷処置システムにおいて、前記エネルギー源が、前記保護コーティングを分解する前記液体の成分を活性化するように構成されていることを特徴とする、創傷処置システム。
【請求項６】
請求項３に記載の創傷処置システムにおいて、前記保護コーティングが、ポリマーシェルを含むことを特徴とする、創傷処置システム。
【請求項７】
請求項３に記載の創傷処置システムにおいて、前記保護コーティングが、生体吸収性ガラスを含むことを特徴とする、創傷処置システム。
【請求項８】
請求項３に記載の創傷処置システムにおいて、前記保護コーティングが、セラミックを含むことを特徴とする、創傷処置システム。
【請求項９】
請求項１に記載の創傷処置システムにおいて、前記エネルギー源が、超音波エネルギーを放射することを特徴とする、創傷処置システム。
【請求項１０】
請求項１に記載の創傷処置システムにおいて、前記エネルギー源が、磁気エネルギーを放射することを特徴とする、創傷処置システム。
【請求項１１】
請求項１に記載の創傷処置システムにおいて、前記エネルギー源が、無線周波数エネルギーを放射することを特徴とする、創傷処置システム。
【請求項１２】
請求項１に記載の創傷処置システムにおいて、前記エネルギー源が、電離放射線エネルギーを放射することを特徴とする、創傷処置システム。
【請求項１３】
請求項１に記載の創傷処置システムにおいて、前記エネルギー源が、マイクロ波エネルギーを放射することを特徴とする、創傷処置システム。
【請求項１４】
請求項１に記載の創傷処置システムにおいて、前記エネルギー源が、光エネルギーを放射することを特徴とする、創傷処置システム。
【請求項１５】
請求項１に記載の創傷処置システムにおいて、前記エネルギー源が、前記創傷包帯の近位側の前記液体にエネルギーを案内するように構成されていることを特徴とする、創傷処置システム。
【請求項１６】
請求項１に記載の創傷処置システムにおいて、前記液体貯蔵装置及び前記創傷包帯に流体連通した導管を更に備えることを特徴とする、創傷処置システム。
【請求項１７】
請求項１６に記載の創傷処置システムにおいて、前記エネルギー源が、前記導管内の前記液体にエネルギーを案内するように構成されていることを特徴とする、創傷処置システム。
【請求項１８】
請求項１６に記載の創傷処置システムにおいて、前記導管を前記創傷包帯に接続する接続部材を更に備えることを特徴とする、創傷処置システム。
【請求項１９】
請求項１８に記載の創傷処置システムにおいて、前記エネルギー源が、前記導接続部材にエネルギーを案内するように構成されていることを特徴とする、創傷処置システム。
【請求項２０】
請求項１に記載の創傷処置システムにおいて、前記治療特性が、抗菌性を含むことを特徴とする、創傷処置システム。
【請求項２１】
請求項１に記載の創傷処置システムにおいて、前記治療特性が、鎮痛性を含むことを特徴とする、創傷処置システム。
【請求項２２】
請求項１に記載の創傷処置システムにおいて、前記治療特性が、組織のデブリドマンに役立つことを特徴とする、創傷処置システム。
【請求項２３】
請求項１に記載の創傷処置システムにおいて、前記治療特性が、前記創傷包帯の創傷部からの取り外し性を改善することを特徴とする、創傷処置システム。
【請求項２４】
請求項１に記載の創傷処置システムにおいて、前記治療特性が、創傷部における生物膜の堆積を低減することを特徴とする、創傷処置システム。
【請求項２５】
創傷処置システムにおいて、
創傷包帯と、
前記創傷包帯に接続された陰圧源と、
前記創傷包帯と流体連通するように構成されている、コーティングを備えた分子を含む液体を含む液体貯蔵装置と、
エネルギーを前記液体に案内して前記コーティングを分解するように構成されているエネルギー源と、
を備えることを特徴とする創傷処置システム。
【請求項２６】
請求項２５に記載の創傷処置システムにおいて、前記エネルギー源が、光エネルギーを前記液体に案内することを特徴とする、創傷処置システム。
【請求項２７】
請求項２５に記載の創傷処置システムにおいて、前記エネルギー源が、超音波エネルギーを前記液体に案内することを特徴とする、創傷処置システム。
【請求項２８】
請求項２５に記載の創傷処置システムにおいて、前記エネルギー源が、磁気エネルギーを前記液体に案内することを特徴とする、創傷処置システム。
【請求項２９】
請求項２５に記載の創傷処置システムにおいて、前記エネルギー源が、無線周波数エネルギーを前記液体に案内することを特徴とする、創傷処置システム。
【請求項３０】
請求項２５に記載の創傷処置システムにおいて、前記エネルギー源が、電離放射線エネルギーを前記液体に案内することを特徴とする、創傷処置システム。
【請求項３１】
請求項２５に記載の創傷処置システムにおいて、前記液体の治療特性が、前記コーティングが分解されると有効になることを特徴とする、創傷処置システム。
【手続補正書】
【提出日】平成27年5月8日(2015.5.8)
【手続補正１】
【補正対象書類名】明細書
【補正対象項目名】００３８
【補正方法】変更
【補正の内容】
【００３８】
図１及び３に示される別形はコネクタ５及び５'の形状に関する限り異なり、図３の場合、コネクタはより長く、結合素子１１に取り付けられている（図４を見よ）。結合素子１１は、例えば、電解腐蝕タイプの結合素子、すなわちステント構造１の誘導ワイア２からの切り離しを可能にするシステムとすることができる（図４を見よ）。図２に示される別形においては、器具を電解態様で切り放す目的のために、２つの分離素子または切断素子６，６'が備えられている。
【手続補正２】
【補正対象書類名】明細書
【補正対象項目名】００４１
【補正方法】変更
【補正の内容】
【００４１】
図５は、誘導ワイア２の結合素子１１の適する態様で設計された受け部分と嵌合する目的で配された内向きのフックが備えられているコネクタ５及び５'を有する、本発明のステント構造の空間表示である。コネクタ５及び５'の近端を収めている結合素子がカテーテル内部にある限り、ステント構造１は誘導ワイアに連結されたままである。器具がカテーテルから押し出されると、コネクタ５，５'と結合素子１１の間の連結が解かれ、よって構造が解放されて血管系内にとどまるステントとして機能する。しかし、そのような切離しは特別な（緊急の）場合、例えば器具を容易にまたは問題をおこさずにカテーテルに引き込むことができない場合、にしかおこらないであろう。
【手続補正３】
【補正対象書類名】明細書
【補正対象項目名】００４４
【補正方法】変更
【補正の内容】
【００４４】
図７は、誘導ワイア２，結合素子１１，コネクタ５，５'との近位取付け領域及び母面８による有効領域を、またトランペット形の広がりを有する遠位領域１３も、含む本発明の血栓摘出器具の構成を略図で示す。
【手続補正４】
【補正対象書類名】特許請求の範囲
【補正対象項目名】全文
【補正方法】変更
【補正の内容】
【特許請求の範囲】
【請求項１】
基本的に円筒形のステント構造（１）であって、複数のメッシュ（３，４）を有し、さらに該ステント構造（１）の近端において異なるメッシュ（３）に配された２つのコネクタ（５，５'）も有するステント構造（１）、
及び
前記コネクタ（５，５'）が取り付けられる結合素子（１１）が備えられた誘導ワイア（２）、
を有する血栓摘出器具において、
前記ステント構造（１）の母面（８）にわたって螺旋状またはコイル状の態様で延びるスロット（７）、及び
前記ステント構造（１）の近端において波様態様で前記スロット（７）にかかる保持クリップ（９）、
を特徴とする血栓摘出器具。
【請求項２】
形状記憶材料からなることを特徴とする請求項１に記載の血栓摘出器具。
【請求項３】
前記保持クリップ（９）の湾曲が、前記ステント構造（１）の遠端に向かう方向を指すことを特徴とする請求項１または２に記載の血栓摘出器具。
【請求項４】
前記保持クリップ（９）及び前記コネクタ（５，５'）が、前記結合素子（１１）で終端するループを形成することを特徴とする請求項１から３のいずれかに記載の血栓摘出器具。
【請求項５】
前記ステント構造（１）の中央領域及び／または遠位領域に配された１つまたはいくつかの追加の補記クリップ（９）が前記血栓摘出器具に備えられることを特徴とする請求項１から４のいずれかに記載の血栓摘出器具。
【請求項６】
前記ステント構造（１）がチューブから切り出され、長方形または台形の断面を有するストランドが備えられることを特徴とする請求項１から５のいずれかに記載の血栓摘出器具。
【請求項７】
前記ステント構造（１）の前記母面（８）が前記ストランド断面の狭いかまたは小さい辺面によって形成されることを特徴とする請求項６に記載の血栓摘出器具。
【請求項８】
前記ステント構造（１）が前記誘導ワイア（１２）から、機械的、水力的、または電気化学的に、切り離され得ることを特徴とする請求項１から７のいずれかに記載の血栓摘出器具。
【請求項９】
前記結合素子（１１）が分離素子または切断素子として設計されることを特徴とする請求項８に記載の血栓摘出器具。
【請求項１０】
２つの切離し場所を特徴とする請求項８に記載の血栓摘出器具。
【請求項１１】
前記結合素子（１１）が周縁に配されることを特徴とする請求項１から１０のいずれかに記載の血栓摘出器具。
【請求項１２】
前記ステント構造（１）の遠端が円錐形またはトランペット形の広がりを有することを特徴とする請求項１から１１のいずれかに記載の血栓摘出器具。
【請求項１３】
マーカー素子を特徴とする請求項１から１２のいずれかに記載の血栓摘出器具。
【手続補正５】
【補正対象書類名】図面
【補正対象項目名】図２
【補正方法】変更
【補正の内容】
【図２】
2014519377.tif 000001
【手続補正６】
【補正対象書類名】図面
【補正対象項目名】図４
【補正方法】変更
【補正の内容】
【図４】
2014519377.tif 000002
【手続補正７】
【補正対象書類名】図面
【補正対象項目名】図７
【補正方法】変更
【補正の内容】
【図７】
2014519377.tif 000003
【手続補正書】
【提出日】平成27年4月27日(2015.4.27)
【手続補正１】
【補正対象書類名】明細書
【補正対象項目名】０００４
【補正方法】変更
【補正の内容】
【０００４】
例えば、場合によっては、長時間作用型インスリン（第１の薬物または一次薬剤とも呼ばれることがある）を、ＧＬＰ−１またはＧＬＰ−１類似体（第２の薬物または二次薬剤とも呼ばれることがある）などのグルカゴン様ペプチド１と併用して糖尿病患者を治療することが有益であり得る。
【手続補正２】
【補正対象書類名】明細書
【補正対象項目名】００５８
【補正方法】変更
【補正の内容】
【００５８】
【図１】デバイスのエンド・キャップが取り外されている、図２および図３に示される送達デバイスの斜視図である。
【図２】カートリッジを示す送達デバイスの遠位端の斜視図である。
【図３】１つのカートリッジ保持器が開位置にある、図１に示されるカートリッジ・ホルダの斜視図である。
【図４】図１に示される送達デバイスの遠位端に着脱可能に装着可能な投薬インターフェースおよび用量ディスペンサを示す図である。
【図５】図１に示される送達デバイスの遠位端に装着された、図４に示される投薬インターフェースおよび用量ディスペンサを示す図である。
【図６】送達デバイスの遠位端に取付け可能な用量ディスペンサの１つの配置を示す図である。
【図７】図４に示される投薬インターフェースの斜視図である。
【図８】図４に示される投薬インターフェースの別の斜視図である。
【図９】図４に示される投薬インターフェースの断面図である。
【図１０】図４に示される投薬インターフェースの分解組立図である。
【図１１】図１に示されるデバイスなどの薬物送達デバイスに装着された投薬インターフェースおよび用量ディスペンサの断面図である。
【図１２】針ガイドの配置を示す図である。
【図１３】図１に示される送達デバイスの遠位端に着脱式に取付け可能な投薬インターフェースと、針ガイドの使用によって投薬インターフェースに着脱式に取付け可能なニードル・アセンブリとを示す図である。
【図１４】針ガイドの使用によってニードル・アセンブリを投薬インターフェースに装着する方法を示す図である。
【図１５】図１に示されるデバイスなどの薬物送達デバイスに装着された、投薬インターフェース、針ガイド、および用量ディスペンサを示す断面図である。
【手続補正３】
【補正対象書類名】明細書
【補正対象項目名】００６３
【補正方法】変更
【補正の内容】
【００６３】
それに加えて、カートリッジ・ホルダ４０の遠位端では、図１に示される薬物送達デバイスは、投薬インターフェース２００を含む。図４に関連して記載されるように、１つの構成では、この投薬インターフェース２００は、カートリッジ・ハウジング４０の遠位端４２に着脱可能に装着される主外部本体２１０を含む。図１で分かるように、投薬インターフェース２００の遠位端２１４は好ましくはニードル・ハブ２１６などの接続部分を備える。このニードル・ハブ２１６は、従来のペン型注射針アセンブリなどの用量ディスペンサを、薬物送達デバイス１０に着脱可能に取り付けることを可能にするように構成され得る。ニードル・ハブ２１６は端部２１９における外径２１７を有する。
【手続補正４】
【補正対象書類名】明細書
【補正対象項目名】００６８
【補正方法】変更
【補正の内容】
【００６８】
図５はまた、インターフェース２００のニードル・ハブ上に螺着可能な投薬インターフェース２００の遠位端に連結されたニードル・アセンブリ４００および保護カバー４２０を示す。図６は、図５の投薬インターフェース２００に取り付けられた両頭針アセンブリ４００の断面図を示す。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
外科的処置のあいだに外科医によって使用されるための外科用装置であって、
複数の外科用器具と、
患者の身体部分周囲に適合するような形に実質的に形付けられた外科用トレイであって、
外科的処置の滅菌野の一部となるように構成されている上面と、
前記上面上に位置される複数の受容構造であって、前記複数の外科用器具のそれぞれが対応する前記受容構造のうちの１つの内部に取り外し可能に配置される複数の受容構造と、
前記複数の外科用器具の少なくとも１つが接続する少なくとも１つの電気コネクタと、
前記複数の外科用器具の少なくとも１つが接続する少なくとも１つの流体コネクタと、
滅菌野の外側となるように設定されている側面または底面で、少なくとも１つの電気コネクタと接続する制御ユニット受容体を備える側面または底面を含む、
外科用トレイと、を含む、
密封された滅菌外科用パックと、
制御ユニットであって、外科用パックが開封された後、制御ユニット受容器内に受容されるように構成され、少なくとも１つの前記複数の外科用器具に電力を供給し、動作を制御するように構成される制御ユニットを含み、 前記外科用トレイは、さらに、液体コンテナを受容するための凹部を含み、前記凹部は、凹部内に配置され、外科医に液体のレベルを示すために、液体コンテナを通して光を照射するためのスパイクおよび光源を含む、外科用装置。
【請求項２】
前記複数の外科用器具が、生物組織カッターおよび組織照明器具を備える請求項１記載の外科用装置。
【請求項３】
患者の身体部分周囲に適合するような形状に実質的に形付けられた前記外科用トレイが、略Ｕ字型である外科用トレイを含む請求項１または２記載の外科用装置。
【請求項４】
前記外科用トレイが、前記トレイの底面上に嵌め合い凹部をさらに備え、前記嵌め合い凹部が、前記トレイがトレイ支持物へ取り付けられ得るように、外科用テーブルまたは椅子上の前記トレイ支持物の一部を受容するように構成される請求項３記載の外科用装置。
【請求項５】
前記制御ユニット受容器は、減菌野の下側に配置される請求項１〜４のいずれか１項に記載の外科用装置。
【請求項６】
前記制御ユニットは、減菌されていない請求項１〜５のいずれか１項に記載の外科用装置。
【請求項７】
前記制御ユニットがさらに再充電可能な電池を備える請求項６に記載の外科用装置。
【請求項８】
前記少なくとも１つの流体コネクタに接続する少なくとも１つのポンプをさらに備え、前記制御ユニット受容体が前記ポンプに電気的に接続する請求項１〜７のいずれか１項に記載の外科用装置。
【請求項９】
前記外科用トレイは、患者の側面または上部の外科用スタンド上に配置される請求項１〜８のいずれか１項に記載の外科用装置。
【手続補正書】
【提出日】平成27年4月6日(2015.4.6)
【手続補正１】
【補正対象書類名】明細書
【補正対象項目名】発明の名称
【補正方法】変更
【補正の内容】
【発明の名称】精密な歯科調製を可視化及び計画するための方法、システム、及びコンピュータ読み取り可能媒体
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
メチル化が腺腫または癌を示す、マーカー核酸におけるＣｐＧ遺伝子座の定義された組を選択する方法であって、
ａ）複数の正常試料に由来するマーカー核酸の複数の個々のコピーのそれぞれにおける複数のＣｐＧ遺伝子座のメチル化状態を決定することと、
ｂ）複数の腺腫試料または複数の癌試料に由来する前記マーカー核酸の複数の個々のコピーのそれぞれにおける前記複数のＣｐＧ遺伝子座のメチル化状態を決定することと、
ｃ）前記マーカー核酸における前記複数の前記ＣｐＧ遺伝子座のそれぞれの遺伝子座に対するメチル化比を決定することと、
ｄ）前記マーカー核酸におけるＣｐＧ遺伝子座の定義された組を選択することであって、ＣｐＧ遺伝子座の前記定義された組は、腺腫または癌と相関する有利なメチル化比を有する複数のＣｐＧ遺伝子座を含む、選択することと、
を含む、方法。
【請求項２】
前記メチル化比の前記決定は、前記正常試料における前記複数のＣｐＧ遺伝子座のそれぞれにおける平均メチル化と、前記複数の腺腫試料または前記複数の癌試料における前記複数のＣｐＧ遺伝子座中の各対応するＣｐＧ遺伝子座における平均メチル化との比率を決定することを含む、請求項１に記載の方法。
【請求項３】
前記正常、腺腫、または癌試料において分析されるマーカー核酸の前記複数の個々のコピーは、少なくとも１００のコピーを含む、請求項１または請求項２に記載の方法。
【請求項４】
前記正常、腺腫、または癌試料において分析されるマーカー核酸の前記複数の個々のコピーは、少なくとも１０００のコピーを含む、請求項１または請求項２に記載の方法。
【請求項５】
前記複数の正常、腺腫、または癌試料は、少なくとも１０の試料を含む、請求項１から４の何れか１項に記載の方法。
【請求項６】
ＣｐＧ遺伝子座の前記定義された組は、少なくとも３つのＣｐＧ遺伝子座を含む、請求項１から５の何れか１項に記載の方法。
【請求項７】
前記複数のＣｐＧ遺伝子座のメチル化状態の前記決定は、前記試料に由来するＤＮＡを重亜硫酸塩で処理することを含む、請求項１から６の何れか１項に記載の方法。
【請求項８】
前記複数のＣｐＧ遺伝子座のメチル化状態の前記決定は、前記マーカー核酸における前記複数のＣｐＧ遺伝子座のデジタル分析を含む、請求項１から７の何れか１項に記載の方法。
【請求項９】
前記デジタル分析は、デジタル配列決定およびデジタルＰＣＲの少なくとも一方を含む、請求項８に記載の方法。
【請求項１０】
前記腺腫試料または前記癌試料は、結腸直腸試料を含む、請求項１から９の何れか１項に記載の方法。
【請求項１１】
試料中の癌または腺腫を検出する方法であって、少なくとも１つの癌または腺腫マーカー核酸分子におけるＣｐＧ遺伝子座の定義されたサブセット中のそれぞれのＣｐＧ遺伝子座のメチル化状態を決定することを含み、前記癌または腺腫マーカー核酸分子におけるＣｐＧ遺伝子座の前記定義されたサブセット中の前記ＣｐＧ遺伝子座のそれぞれにおけるメチル化は、前記試料中の癌または腺腫を示す、方法。
【請求項１２】
ＣｐＧ遺伝子座の前記定義されたサブセットは、少なくとも３つのＣｐＧ遺伝子座を含む、請求項１１に記載の方法。
【請求項１３】
前記決定は、単一の核酸検出アッセイにおいて前記ＣｐＧ遺伝子座のそれぞれのメチル化状態を決定するように構成される核酸検出アッセイにおける前記ＣｐＧ遺伝子座の分析を含む、請求項１１に記載の方法。
【請求項１４】
前記決定は、単一の反応混合物において前記ＣｐＧ遺伝子座のそれぞれのメチル化状態を決定するように構成される核酸検出アッセイにおける前記ＣｐＧ遺伝子座の分析を含む、請求項１１に記載の方法。
【請求項１５】
前記核酸検出アッセイは、プライマー伸長アッセイ、核酸増幅アッセイ、核酸配列決定アッセイ、構造特異的切断アッセイ、５’ヌクレアーゼ切断アッセイ、侵襲的切断アッセイおよびライゲーションアッセイを含む群から選択される少なくとも１つのアッセイを含む請求項１３に記載の方法。
【請求項１６】
少なくとも１つの前記癌または前記腺腫マーカー核酸分子は、ビメンチン、ＢＭＰ３、セプチン９、ＴＦＰＩ２、ＬＲＡＴの２つの領域、およびＥＹＡ４核酸分子からなる群から選択される、請求項１１に記載の方法。
【請求項１７】
前記ＣｐＧ遺伝子座の前記定義されたサブセットは、
ビメンチン核酸分子における遺伝子座３７、４０、および４５と、
ＢＭＰ３核酸分子における遺伝子座３４、５３、および６１と、
セプチン９核酸分子における遺伝子座５９、６１、６８、および７０と、
ＴＦＰＩ２核酸分子における遺伝子座５５、５９、６３、および６７と、
ＥＹＡ４核酸分子における遺伝子座３１、３４、３７、および４４と
を含む群から選択された少なくとも１つの定義されたサブセットを含む請求項１１に記載の方法。